(57)【要約】【課題】ユーザに対する見映え感を確保しつつ、特殊な投影レンズを用いなくても本来の照射機能を確保できる車両用灯具ユニットを提供する。【解決手段】複数の各ロービームユニットＬＵにおける投影レンズを、該複数のロームユニットＬＵの前方に該複数のビームユニットＬＵの並設方向に伸びるようにして配置される第１の投影レンズ１３と、各ロービームユニットＬＵの前部にそれぞれ備えられる第２の投影レンズ１５と、をもって構成する。【選択図】図１
2018174091.tif 000002
【特許請求の範囲】
【請求項１】
ビームを出射する複数のビームユニットが並設した状態で設けられ、該複数のビームユニットの前方に１枚の共通の投影レンズが、該複数のビームユニットの並設方向に伸びるようにして配置されている車両用灯具ユニットにおいて、
前記各ビームユニットにおける投影レンズが、前記共通の投影レンズにより構成される第１の投影レンズと、前記各ビームユニットの前部にそれぞれ備えられる第２の投影レンズと、をもって構成されている、
ことを特徴とする車両用灯具ユニット。
【請求項２】
請求項１において、
前記複数のビームユニットが、ロービームを出射するロービームユニットとして、該複数のビームユニットの並設方向に所定間隔毎に配置され、
前記複数のロービームユニットの所定間隔内に、ハイビームを出射するハイビームユニットが配置され、
前記第１の投影レンズが、前記複数の各ロービームユニットからのロービームの出射方向に対して傾斜するように伸ばされている、
ことを特徴とする車両用灯具ユニット。
【請求項３】
請求項２において、
前記複数のロービームユニットが、該複数のロービームユニットの並設方向内方側を基準として、該複数のロービームユニットの並設方向外方側に向かうほど後方にずれるように配置され、
前記第１の投影レンズが、前記複数のロービームユニットに沿うようにして伸ばされ、
前記各ロービームユニットにおける第２の投影レンズのレンズ面が、前記第１の投影レンズのレンズ面に沿うように配置されている、
ことを特徴とする車両用灯具ユニット。
【請求項４】
請求項３において、
前記第２の投影レンズが、前記各ロービームユニットに片持ち状態をもって取付けられている、
ことを特徴とする車両用灯具ユニット。
【請求項５】
請求項２において、
案内リフレクタが備えられ、
前記案内リフレクタが、前記ロービームユニットからの出射光を、前記第１の投影レンズのうち、前記ハイビームユニットからの出射光の出射領域に導くように設定されている、
ことを特徴とする車両用灯具ユニット。
【発明の詳細な説明】
【技術分野】
【０００１】
本発明は、車両用灯具ユニットに関する。
【背景技術】
【０００２】
車両用灯具ユニットには、デザイン上の理由等から、特許文献１に示すように、ビームを出射する複数のビームユニットを並設した状態で設け、その複数のビームユニットの本体の前方に、それらの投影レンズとして、横長形状をなす１枚の共通の投影レンズを、その複数のビームユニットの並設方向に伸びるようにして配置したものが提案されている。
このものにおいては、１枚の共通の投影レンズが、その後方における独立した各ビームユニットの本体を覆い隠すと共に、その共通の投影レンズの平坦な最外表面がすっきり感を生じさせることになり、ユーザに対する見映え感を向上させる。
【先行技術文献】
【特許文献】
【０００３】
【特許文献１】特開２００５−２９４１７６号公報
【発明の概要】
【発明が解決しようとする課題】
【０００４】
しかし、上記車両用灯具ユニットにおいては、前記共通の投影レンズとして、本来の照射機能を確保する観点から、厚みが比較的厚く、しかも形状が複雑なものを用いなければならず、このような特殊な投影レンズを製造することは容易ではない。
【０００５】
本発明は、上記実情に鑑みてなされたもので、その目的は、ユーザに対する見映え感を確保しつつ、特殊な投影レンズを用いなくても本来の照射機能を確保できる車両用灯具ユニットを提供することにある。
【課題を解決するための手段】
【０００６】
前記目的を達成するために本発明にあっては、下記（１）〜（５）の構成とされている。
（１）ビームを出射する複数のビームユニットが並設した状態で設けられ、該複数のビームユニットの前方に１枚の共通の投影レンズが、該複数のビームユニットの並設方向に伸びるようにして配置されている車両用灯具ユニットにおいて、
前記各ビームユニットにおける投影レンズが、前記共通の投影レンズにより構成される第１の投影レンズと、前記各ビームユニットの前部にそれぞれ備えられる第２の投影レンズと、をもって構成されている構成とされている。
この構成によれば、共通の投影レンズとしての第１の投影レンズが、その後方における独立した各ビームユニットの本体を覆い隠すと共に、その第１の投影レンズの平坦な最外表面がすっきり感を生じさせることになる。
他方、第１投影レンズと第２投影レンズとにより投影レンズを構成することから、第１、第２の各投影レンズの厚みを薄くできると共に、それに伴い、第１、第２の各投影レンズの形状も簡単化することができ、その第１、第２の投影レンズを比較的容易に製造することができる。
【０００７】
（２）前記（１）の構成の下で、
前記複数のビームユニットが、ロービームユニットとして、該複数のビームユニットの並設方向に所定間隔毎に配置され、
前記複数のロービームユニットの所定間隔内に、ハイビームユニットが配置され、
前記第１の投影レンズが、前記複数の各ロービームユニットからのロービームの出射方向に対して傾斜するように伸ばされている構成とされている。
この構成によれば、各ロービームユニットからのロービームを、その出射方向に第１の投影レンズが直交する場合に比して、第１の投影レンズにその伸び方向において広く照射できる。このため、ロービーム照射時に、第１の投影レンズ全体を極力光らせる観点から好ましいものにできる。
【０００８】
（３）前記（２）の構成の下で、
前記複数のロービームユニットが、該複数のロービームユニットの並設方向内方側を基準として、該複数のロービームユニットの並設方向外方側に向かうほど後方にずれるように配置され、
前記第１の投影レンズが、前記複数のロービームユニットに沿うようにして伸ばされ、
前記各ロービームユニットにおける第２の投影レンズのレンズ面が、前記第１の投影レンズのレンズ面に沿うように配置されている構成とされている。
この構成によれば、第１の投影レンズにより当該車両用灯具ユニットの前面をいわゆるスラント形状にできると共に、それに合わせて、第２の投影レンズも配置することができ、統一された美観を簡単に得ることができる。
【０００９】
（４）前記（３）の構成の下で、
前記第２投影レンズが、前記各ロービームユニットに片持ち状態をもって取付けられている構成とされている。
この構成によれば、投影レンズが第１、第２の投影レンズにより構成されて、第２の投影レンズの重量を軽減できることになり、第２投影レンズを各ロービームユニットに片持ち状態をもって取付けることが可能となる。このため、デザイン上の観点から、簡素感、軽快感等を醸し出すことができる。
【００１０】
（５）前記（２）の構成の下で、
案内リフレクタが備えられ、
前記案内リフレクタが、前記ロービームユニットからの出射光を、前記第１の投影レンズのうち、前記ハイビームユニットからの出射光の出射領域に導くように設定されている構成とされている。
この構成によれば、ロービーム照射時に、そのロービームを、案内リフレクタを利用して、第１の投影レンズのうち、ハイビーム出射領域に導くことができることから、ロービーム出射時であっても、第１の投影レンズ全体を光らせることができる。
【発明の効果】
【００１１】
本発明によれば、ユーザに対する見映え感を確保しつつ、特殊な投影レンズを用いなくても本来の照射機能を確保できる車両用灯具ユニットを提供できる。
【図面の簡単な説明】
【００１２】
【図１】実施形態に係る車両用灯具ユニットを平面視をもって説明する説明図。
【図２】実施形態に係る車両用灯具ユニットを、前面カバーの前面部を省いた状態で示す正面図。
【図３】実施形態に係るロービームユニットからのロービームＬＢ１の出射状態を説明する説明図。
【図４】実施形態に係る車両用灯具ユニットからの前方照射をもって形成される配向パターンを説明する説明図。
【図５】実施形態に係るハイビームユニットからのハイビームＨＢの出射状態を説明する説明図。
【図６】ロービームＬＢ１出射時におけるレンズホルダ、第１サブリフレクタの作用を平面的に説明する説明図。
【図７】図６の作用状態を正面視をもって説明する説明図。
【図８】ロービームＬＢ１出射時におけるレンズホルダ、第２サブリフレクタの作用を平面的に説明する説明図。
【図９】図８の作用状態を正面視をもって説明する説明図。
【発明を実施するための形態】
【００１３】
以下、本発明の実施形態について、図面に基づいて説明する。
図１、図２において、符号１は、実施形態に係る車両用灯具としての左前照灯（以下、前照灯という）を示す。この前照灯１は、他の前照灯（右前照灯）と共に車両前部に取付けられて、車両前方を照射する。
【００１４】
前記前照灯１は、図１、図２に示すように、前方が開口されたランプボディ２と、そのランプボディ２の開口を覆う前面カバー３とを備えている。
【００１５】
前記ランプボディ２は、図１に示すように、上下方向に起立する背壁部２ａと、その背壁部２ａの周縁部から前方（図１中、下方）に張り出す周壁部２ｂと、により構成されている。背壁部２ａは、一定高さを維持しつつ横方向（図１中、左右方向）に延びており、その背壁部２ａの横方向外側部分２ａｂが背壁部２ａの横方向内側部分２ａａよりも後方(図１中、上方)に引っ込み、その背壁部２ａは、その横方向外側部分２ａｂと横方向内側部分２ａａとの間において、横方向外側に向かうに従って後方に傾斜されている。周壁部２ｂは、背壁部２ａの横方向外側部分２ａｂが横方向内側部分２ａａに比して後退した位置に位置されていることに伴い、周壁部２ｂの横方向外側部分２ｂｂが横方向内側部分２ｂａよりも後方に引っ込んでいる。この周壁部２ｂは、背壁部２ａと協働して収納空間４を区画しており、周壁部２ｂの先端部は、横長形状の開口５を区画している。
【００１６】
前記前面カバー３は、図１に示すように、前記ランプボディ２の周壁部２ｂ先端部に対して着脱可能に取付けられている。この前面カバー３は、ランプボディ２の開口５に対応して横長形状として形成されており、その前面カバー３の前面部３ａは、横方向内側から横方向外側に向かうに従って後方に傾斜されている。これにより、前面カバー３とランプボディ２とは、横方向内側から横方向外側にかけて後方にシフトした灯室６を形成している。この前面カバー３は、透光性を有する材料（例えば樹脂材）をもって形成されており、その灯室６において発光する光は、前面カバー３を介して外部に照射される。この前面カバー３としては、単に透光性を有しているだけでなく、レンズ機能を有するものをも用いることができる。
【００１７】
前記灯室６内には、図１、図２に示すように、板状の金属製支持部材（例えばアルミダイキャスト製品）７が配設されている。支持部材７は、ランプボディ２の背壁部２ａにエイミングスクリュ８ａ等を介して支持されており、その支持部材７の板面は、背壁部２ａから前方側に離間された状態で配置されている。支持部材７には、該支持部材７を階段状に折り曲げることにより、第１段部９、第２段部１０、第３段部１１が形成されており、その第１段部９、第２段部１０、第３段部１１は、横方向外側に向かうに従って順次、後方にやや後退しつつ並んでいる(図１参照)。この第１段部〜第３段部９〜１１は、その各前面９ａ〜１１ａ（図１中、下面）が、平坦面とされた状態で前方に向けられ、前記前面カバー３の前面は、この第１段部〜第３段部９〜１１の各前面９ａ〜１１ａに対して傾斜されている。本実施形態においては、第１段部９の前面９ａ全体、第２、第３段部１０，１１における各前面１０ａ、１１ａの横方向外側（図１中、右側）がロービームユニット配設領域として設定され、第２、第３段部１０，１１における各前面１０ａ、１１ａの横方向内側（図１中、左側）がハイビームユニット配設領域として設定されている。
【００１８】
前記灯室Ｓ内には、図１、図２に示すように、実施形態に係る灯具ユニット１２が収納されている。灯具ユニット１２は、プロジェクタ型の複数のロービームユニットＬＵ（複数のビームユニット）と複数のハイビームユニットＨＵとを備えており、これらロービームユニットＬＵとハイビームユニットＨＵとは、ロービームユニットＬＵが所定間隔毎に並設され、ハイビームユニットＨＵがその各所定間隔内に配置される配置構造となっている。
【００１９】
具体的に説明する。各ロービームユニットＬＵは、ロービームユニット本体ＬＵＢと、その各ロービームユニットＬＵにおけるロービームユニット本体ＬＵＢの前方側を横切るようにして配置される共通の投影レンズとしての第１の投影レンズ１３とにより構成されている。
【００２０】
第１の投影レンズ１３としては、一定幅の略板状のものが用いられている。この第１の投影レンズ１３は、前記前面カバー３の幅方向（図２中、上下方向）中央部に位置した状態で、その第１の投影レンズ１３の前面を前面カバー３の裏面に沿わせつつ、その前面カバー３における前面部３ａの横方向略全長に亘って伸びており、この第１の投影レンズ１３により、当該灯具ユニット１２の前面は、横方向外側に向かうに従って後方に傾斜するいわゆるスラント形状に形成されている。この第１の投影レンズ１３は、図示を略す取付け具を用いて支持部材７により支持されており、その支持によりこの第１の投影レンズ１３の配置状態が維持されている。尚、この第１の投影レンズ１３は、後述するように、ロービームユニットＬＵにおいてだけでなく後述のハイビームユニットＨＵにおいても構成要素として使用される（図１参照）。
【００２１】
各ロービームユニット本体ＬＵＢは、図１、図２に示すように、前記第１〜第３段部９〜１１における各前面９ａ〜１１ａにそのロービームユニット配設領域において取付けられている。各ロービームユニット本体ＬＵＢは、互いに同一構成とされており、そのいずれのロービームユニット本体ＬＵＢも、前記第１の投影レンズ１３の後方領域に配置されている。
各ロービームユニット本体ＬＵＢには、図１〜図３に示すように、支持部材７の前面９ａ〜１１ａから前方に突出する突出部１４と、その突出部１４の前方に配置されて前記第１の投影レンズ１３と協働して投影レンズを構成する第２の投影レンズ１５と、その第２の投影レンズ１５の後方焦点よりも後方の突出部１４の上面１４ａにおいて配置された光源としてのロービーム用発光素子（例えばＬＥＤ）１６と、突出部上面１４ａに発光素子１６を上方から覆うように取付けられてその発光素子１６からの光を第２の投影レンズ１６に向けて反射するリフレクタ１７と、突出部１４に端縁として形成されてリフレクタ１７からの反射光の一部を遮光する遮光シェード１８と、が備えられている。
【００２２】
このような各ロービームユニットＬＵにおいては、図３に示すように、発光素子１６から出射された光が、基本的に、リフレクタ１７の反射面によって前方に反射され、それが第２の投影レンズ１５、第１の投影レンズ１３及び前面カバー３を通過して車両前方にロービームＬＢ１として出射される。これにより、このロービームＬＢ１は、灯具前方の所定位置（例えば灯具前方２５ｍの位置に配置された仮想鉛直スクリーン上）にロービーム配光パターンＰｄ１（図４参照）を形成する。
このとき、各ロービームユニットＬＵからのロービームＬＢ１の出射方向に対して、第１の投影レンズ１３及び前面カバー３が傾斜されていることから、その第１の投影レンズ１３及び前面カバー３において、その各伸び方向における各ロービームユニットＬＵのロービームＬＢ１の照射領域幅Ｂ１ｓが、そのロービームＬＢ１の出射方向に対して第１の投影レンズ１３及び前面カバー３が直交する場合（図３中、仮想線参照）における照射領域幅Ｂ１ｖに比して長くなり（Ｂ１ｓ＞Ｂ１ｖ）、ロービームＬＢ１の出射時に、ロービームＬＢ１によって光る第１の投影レンズ１３及び前面カバー３の範囲を拡大することができる。
【００２３】
また、このロービームユニットＬＵにおいては、上記内容に加えて、次のような特有の構成が組み込まれている。
（１）第１の投影レンズ１３と第２の投影レンズ１５とにより投影レンズが構成され、それにより、第１、第２の各投影レンズ１３，１５の厚みが、１枚の投影レンズの場合よりも薄くされていると共に、それに伴い、第１、第２の各投影レンズ１３，１５の形状が簡単化されている。
これにより、第１、第２の投影レンズ１３、１５は、１枚の横長形状の投影レンズ（１枚で使用のもの）を製造する場合に比して、容易に製造できることになる。
【００２４】
（２）上記第２の投影レンズ１５は、図１、図２に示すように、リフレクタ１７の前部に板状のレンズホルダ１９を用いて片持ち状に取付けられている。レンズホルダ１９は、その板面を横方向に向けつつ、リフレクタ１７前部の横方向外側縁部から前方に張り出すように設けられており、そのレンズホルダ１９の先端部が第２の投影レンズ１５に対する連結端部とされている。一方、第２の投影レンズ１５は、そのレンズ面１５ａが、図２に示すように、正面視において矩形形状として形成されており、その長手方向一方側の辺部の長さはレンズホルダ１９の上下幅に等しくされている。この第２の投影レンズ１５の長手方向一方側辺部にレンズホルダ１９の先端部が連結されており、レンズホルダ１９から第２の投影レンズ１５までの間においては、それらの上下幅（上下方向長さ）は比較的長い長さをもって一定に維持されている。
これにより、第２の投影レンズ１５がレンズホルダ１９に対して片持ち状態となるばかりか、第２の投影レンズ１５及びレンズホルダ１９がリフレクタ１７に片持ち状態となり、その片持ち状の支持状態は、デザイン上、ユーザに対して簡素感や軽快感を与え、ユーザに対する訴求力を高めることができる。
【００２５】
この場合、上記片持ち状の支持関係を維持する支持強度（保持強度）に対して、第２の投影レンズ１５、レンズホルダ１９の構成をもって工夫が施されている。第２の投影レンズ１５については、第１の投影レンズ１３と協働して投影レンズを構成することにより、その軽量化が図られており、その第２の投影レンズ１５の軽量化が、上記片持ち状の支持関係を維持する支持強度を確保するために利用されている。レンズホルダ１９については、レンズホルダ１９の肉厚方向を横方向に向けて上下方向の曲げに対する断面係数が高められており（レンズホルダ１９の上下方向の曲げ剛性が高められており）、このことも、上記片持ち状の支持関係を維持する支持強度を確保するために利用されている。
【００２６】
（３）前記第２の投影レンズ１５は、そのレンズ面１５ａが、第１の投影レンズ１３の後方領域内において、その第１の投影レンズ１３の裏面に沿いつつその第１の投影レンズ１３の伸び方向に伸びている。
これにより、第２の投影レンズ１５のレンズ面１５ａは、第１の投影レンズ１３のスラント形状に合わせて、前方に対して傾斜されることになり、第１、第２投影レンズ１３，１５は、統一された美観を形成することになる。
【００２７】
（４）前記レンズホルダ１９においては、その板面のうち、横方向内方側を向く内側面２０が、前記発光素子１６からの漏れ光（リフレクタ１７を経ずに直接入射する光）を受け入れるサブリフレクタとして機能するべく、横方向外側に向けて凸となる湾曲面に形成されている。このレンズホルダ１９の内側面２０は、発光素子１６からの漏れ光を上側領域２０ａと下側領域２０ｂとでは異なる方向に反射することになっており、上側領域２０ａにより反射される反射光は、レンズホルダ１９よりも横方向内側であって斜め下方且つやや斜め後方に向けて反射され、下側領域２０ｂにより反射される反射光は、レンズホルダ１９よりも横方向内側であって斜め上方且つ斜め後方に向けて反射されることになっている。このレンズホルダ１９からの反射光の具体的利用については、後述する。
【００２８】
前記ハイビームユニットＨＵは、図１、図２、図５に示すように、前記第２段部１０の前面１０ａ、第３段部１１の前面１１ａに、ハイビームユニット配設領域において取付けられている。ハイビームユニットＨＵには、リフレクタ２２と、ハイビーム用発光素子（例えばＬＥＤ）２３と、前記第１の投影レンズ１３とが構成要素として備えられており、リフレクタ２２及び発光素子２３は、第１の投影レンズ１３の後方領域内に配置されている。
リフレクタ２２としては、本実施形態においては、パラボラ型のものが用いられており、そのリフレクタ２２は、図示を略す取付け具を用いることにより，その反射面が入射光をハイビームＨＢに形成するような姿勢状態をもって支持部材７に取付けられている。
発光素子２３は、取付け板２４を介して支持部材７に取付けられている。取付け板２４は、リフレクタ２２の上方において、その板面を上下方向に向けつつ支持部材７の前面１０ａ，１１ａから前方に張り出されており、発光素子２３は、その取付け板２４の下面に、リフレクタ２２よりも前方側において取付けられている。この発光素子２３は、リフレクタ２２の反射面に光を出射することになっており、その反射光は、リフレクタ２２により、ハイビームＨＢとしてリフレクタ２２の前方領域に出射されることになる（図５参照）。
第１の投影レンズ１３は、ハイビームユニット用投影レンズとしても機能することになっており、リフレクタ２２から導かれるハイビームＨＢは、第１の投影レンズ１３において、各隣合うロービームユニット本体ＬＵＢから出射されるロービームＬＢ１の出射領域間に出射される。勿論このハイビームＨＢの出射時には、図５に示すようにロービームＬＢ１も出射される。
【００２９】
このような各ハイビームユニットＨＵにおいては、発光素子２３から出射された光が、パラボラ型のリフレクタ２２の反射面によって前方に反射され、それが第２の投影レンズ１５、第１の投影レンズ１３及び前面カバー３を通過して車両前方にハイビームＨＢとして出射される。これにより、ハイビームＨＢはハイビーム配光パターンＰｕを灯具前方の所定位置（例えば灯具前方２５ｍの位置に配置された仮想鉛直スクリーン上）に形成することになり、そのハイビーム配光パターンＰｕは、図４に示すように、Ｈ−Ｖ座標系（上記仮想鉛直スクリーン上に設定）の下でロービーム配光パターンＰｄ１の上方側に位置される。
【００３０】
前記前照灯１には、前記基本的構成要素に加えて、図１、図２、図６〜図９に示すように、案内リフレクタとして、第１、第２サブリフレクタ２６，２７が備えられている。第１、第２サブリフレクタ２６，２７は、ロービームユニット本体ＬＵＢからの漏れ光（リフレクタ１７で反射されない光）を有効に利用する観点から設けられており、その第１、第２サブリフレクタ２６，２７は、基本的には、各ロービームユニット本体ＬＵＢに対応させてそれぞれ備えられている。但し、本実施形態においては、第１段部９におけるロービームユニット本体ＬＵＢに対応する第１、第２サブリフレクタ２６，２７は設けられていない。
【００３１】
前記第１サブリフレクタ２６は、図１、図２、図６、図７に示すように、前記取付け板２４の下面に取付けられている。第１サブリフレクタ２６は、前記発光素子２３よりも前方側において、前記レンズホルダ内側面２０における下側領域２０ｂからの反射光の受け入れ領域に配置され、その反射面は、その反射面による反射光を第１の投影レンズ１３及び前面カバー３におけるハイビーム出射領域に導くように向けられている。
このため、第１サブリフレクタ２６は、図６、図７に示すように、ロービームＬＢ１（図６、図７ではＬＢ１は図示略）照射時に、レンズホルダ１９における内側面２０の下側領域２０ｂからの反射光を受け入れてそれをさらに反射することになり、その反射光は、第１の投影レンズ１３及び前面カバー３におけるハイビーム出射領域を経てロービームＬＢ２として車体前方に照射される。これにより、そのロービームＬＢ２は、灯具前方の所定位置（例えば灯具前方２５ｍの位置に配置された仮想鉛直スクリーン上）にロービーム配光パターンＰｄ２（図４参照）を形成する。
【００３２】
前記第２サブリフレクタ２７は、図１、図２、図８、図９に示すように、図示を略す取付け具を用いることにより、前記ハイビームユニットＨＵにおけるパラボラ型リフレクタ２２の下方側に位置するように支持部材７に取付けられている。第２サブリフレクタ２７は、前記レンズホルダ内側面２０の上側領域２０ａからの反射光の受け入れ領域に配置され、その反射面は、その反射面による反射光を、オーバーヘッドサイン光ＯＨＳとして第１の投影レンズ１３下方側の前面カバー３に直接、導くように向けられている。
このため、第２サブリフレクタ２７は、図８、図９に示すように、ロービームＬＢ１（図８、図９ではＬＢ１は図示略）照射時に、レンズホルダ内側面２０の上側領域２０ａからの反射光を受け入れてそれをさらに反射することになり、その反射光は、第１の投影レンズ１３下方側の前面カバー３を経てオーバーヘッドサイン光ＯＨＳとして車体前方に照射される。これにより、そのオーバーヘッドサイン光ＯＨＳは、図４に示すように、灯具前方の所定位置（例えば灯具前方２５ｍの位置に配置された仮想鉛直スクリーン上）にオーバーヘッドサイン配光パターンＰｏｈｓ（図４参照）を形成することになり、そのオーバーヘッドサイン配光パターンＰｏｈｓは、Ｈ−Ｖ座標系（上記仮想鉛直スクリーン上に設定）の下でハイビーム配光パターンＰｕの上方側に位置される。
【００３３】
したがって、上記車両用灯具ユニット１２が組み込まれた前照灯１においては、共通の投影レンズとしての第１の投影レンズ１３が、その後方における独立した各ビームユニットＬＵ，ＨＵの本体を覆い隠すと共に、その第１の投影レンズ１３の平坦な最外表面がすっきり感を生じさせる。その一方で、第１投影レンズ１３と第２投影レンズ１５とにより投影レンズを構成することから、第１、第２の各投影レンズ１３，１５の厚みを薄くできると共に、それに伴い、第１、第２の各投影レンズ１３，１５の形状を簡単化することができる。
【００３４】
また、第１の投影レンズ１３及び前面カバー３が傾斜配置構造とされて、各ロービームユニット本体ＬＵＢからのロービームＬＢ１が、第１の投影レンズ１３及び前面カバー３にその伸び方向において広く照射されることから（図３参照）、ロービームＬＢ１照射時に、第１の投影レンズ１３及び前面カバー３全体を極力光らせる観点から好ましいものにできる。
【００３５】
さらに、第１の投影レンズ１３により当該灯具ユニット１２の前面をいわゆるスラント形状にできると共に、それに合わせて、各第２の投影レンズ１５を配置でき、統一された美観を簡単に得ることができる。
【００３６】
さらにまた、第２の投影レンズ１５の重量を軽減して、第２投影レンズ１５を各ロービームユニットＬＵに片持ち状態をもって取付けることが可能となることから、これに伴い、デザイン上の観点から、その片持ち状の支持構造をもって簡素感、軽快感等を醸し出すことができる。
【００３７】
加えて、ロービームＬＢ１出射時に、第１サブリフレクタ２６及びロービームの漏れ光を利用して、第１の投影レンズ１３及び前面カバー３全体を光らせる上で好ましいものできると共に、第２サブリフレクタ２７及びロービームの漏れ光を利用して、オーバーヘッドサイン光ＯＨＳを作ることができる。
【符号の説明】
【００３８】
１  前照灯
１２  灯具ユニット
１３  第１の投影レンズ
１５  第２の投影レンズ
１９  レンズホルダ
２６  第１サブリフレクタ（案内リフレクタ）
ＬＵ  ロービームユニット（ビームユニット）
ＬＵＢ  ロービームユニット本体
ＨＵ  ハイビームユニット
【図１】
2018174091.tif 000003
【図２】
2018174091.tif 000004
【図３】
2018174091.tif 000005
【図４】
2018174091.tif 000006
【図５】
2018174091.tif 000007
【図６】
2018174091.tif 000008
【図７】
2018174091.tif 000009
【図８】
2018174091.tif 000010
【図９】
2018174091.tif 000011